(57)【要約】【課題】複数の原稿から画像を読み取る場合に、原稿の向きや順序等のミスが生じにくい画像読取装置を提供する。【解決手段】画像読取装置において、原稿搬送装置に複数の原稿がセットされた状態で、ユーザから読み取り開始指示を受けたときに、１枚だけ原稿を搬送して読取を行うシングルモードを実行するようになっていることで、ユーザに１枚ずつ原稿を確認させ、ミスの発生を防ぐことができる。【選択図】図５
2009232354.tif 000002
【特許請求の範囲】
【請求項１】
原稿を移動させる原稿搬送装置と、
移動中の上記原稿の画像を読み取り可能な読取部と、
画像読取の開始指示をユーザから受け付ける開始受付部と、
上記開始受付部が開始指示を１回受け付ける毎に、上記原稿搬送装置及び上記読取部を制御して、１枚の原稿について画像読取を行う、シングルモードを実行可能な制御装置と、
を備える画像読取装置。
【請求項２】
原稿が載置される原稿載置台と、
上記原稿載置台上の原稿の存在を検知する原稿センサと、をさらに備え、
上記読取部は、上記原稿載置台上の原稿の画像をも読取可能に配置され、
上記制御装置は、上記原稿センサが上記原稿載置台上の原稿の存在を検知している場合は、上記開始受付部が開始指示を受け付けたとき、上記原稿搬送装置を稼動させずに、上記読取部に上記原稿載置台上の原稿の画像の読取を実行させるようになっている、
請求項１に記載の画像読取装置。
【請求項３】
上記制御装置は、上記原稿搬送装置及び上記読取部を制御して、複数の原稿の画像を連続して読み取る連続読取モードを実行可能になっており、
上記シングルモード又は連続モードのいずれを行うかの指示を、ユーザから受け付ける選択受付部をさらに備える、
請求項１又は２に記載の画像読取装置。
【請求項４】
画像読取の終了指示を受け付ける終了受付部と、
上記開始受付部が最初に開始指示を受けてから、上記終了受付部が終了指示を受け付けるまでに読み取られた画像のデータを、１つのファイルとして保存するメモリと、をさらに備える、
請求項１〜３のいずれか１項に記載の画像読取装置。
【請求項５】
請求項１〜４のいずれか１項に記載の画像読取装置と、
上記読取部が読み取った画像を用紙上に印刷出力する印刷部と、を備え、
上記制御装置は、上記シングルモードにおいて、画像読取の実行と共に、読み取った画像についての印刷を実行するように上記印刷部を制御するようになっている、
複写機。
【発明の詳細な説明】
【技術分野】
【０００１】
本発明は、原稿上の画像を読み取る画像読取装置、及び読み取った画像を用紙上に印刷する印刷装置に関する。
【背景技術】
【０００２】
従来、印刷装置として、原稿載置台に載置された原稿上の画像を１枚ずつ読み取って、この画像に基づいた印刷、つまり複写を行うものがある。また、このような印刷装置において、原稿を自動的に搬送する原稿搬送装置を備える構成が提案されている。このような印刷装置は、複数の原稿を連続して自動的に読み取ることができるので、大量の原稿の複写に適している。
【特許文献１】特許第３８９８０６９号（２００７年１月５日登録）
【特許文献２】特許第３６００５７５号（２００４年１２月１５日登録）
【発明の開示】
【発明が解決しようとする課題】
【０００３】
複数の原稿の中に、誤った順序又は向きとなった原稿が存在すると、その原稿以後の画像データ又は複写物についても、順序のずれ、用紙上での画像のずれ等が生じることがある。しかし、自動搬送機能を利用した場合、ユーザはこのような不具合に気付きにくい。
【０００４】
このようなミスを低減させるには、原稿を１枚ずつ原稿載置台上にセットすることも考えられるが、大量の原稿を１枚ずつユーザにセットさせるのは、ユーザに多大な負担を強いることになる。
【０００５】
本発明はこのような従来の問題に鑑みたものであり、その目的は、読取ミスやコピーミス等を効果的に防いだり、ミスの発生をユーザに早期に気付かせたりすることができる技術を提供することにある。
【課題を解決するための手段】
【０００６】
上記課題を解決するために、請求項１に記載の画像読取装置は、原稿を移動させる原稿搬送装置と、移動中の上記原稿の画像を読み取り可能な読取部と、画像読取の開始指示をユーザから受け付ける開始受付部と、上記開始受付部が開始指示を１回受け付ける毎に、上記原稿搬送装置及び上記読取部を制御して、１枚の原稿について画像読取を行う、シングルモードを実行可能な制御装置と、を備える。
【０００７】
この画像読取装置は、シングルモードを実行することで、各原稿の搬送前に、原稿の内容、向き、及び順序等が正しいか、ユーザに１枚ずつ確認させることができる。よってミスの発生を防いだり、ユーザにミスを早期に気付かせたりすることができる。
【０００８】
また、請求項２に記載するように、請求項１の画像読取装置は、原稿が載置される原稿載置台と、上記原稿載置台上の原稿の存在を検知する原稿センサと、をさらに備え、上記読取部は、上記原稿載置台上の原稿の画像をも読取可能に配置され、上記制御装置は、上記原稿センサが上記原稿載置台上の原稿の存在を検知している場合は、上記開始受付部が開始指示を受け付けたとき、上記原稿搬送装置を稼動させずに、上記読取部に上記原稿載置台上の原稿の画像の読取を実行させるようになっていてもよい。
【０００９】
この画像読取装置によると、原稿搬送装置により搬送できない原稿の読取が可能であると共に、シングルモードにおいて原稿搬送装置によって搬送された原稿の読み取りと、原稿載置台上にセットされた原稿の読取とを組み合わせて、ユーザの所望の順序で画像の読取を行うことができる。
【００１０】
請求項３に記載するように、請求項１又は２の画像読取装置において、上記制御装置は、上記原稿搬送装置及び上記読取部を制御して、複数の原稿の画像を連続して読み取る連続読取モードを実行可能になっていてもよい。そして、上記画像読取装置は、上記シングルモード又は連続モードのいずれを行うかの指示を、ユーザから受け付ける選択受付部をさらに備えていてもよい。
【００１１】
この画像読取装置によると、ユーザの希望に合わせて、読取においてミスの防止を優先するか、迅速さを優先させるかを選択することができる。
【００１２】
請求項４に記載するように、請求項１〜３のいずれか１項に記載の画像読取装置は、画像読取の終了指示を受け付ける終了受付部と、上記開始受付部が最初に開始指示を受けてから、上記終了受付部が終了指示を受け付けるまでに読み取られた画像のデータを、１つのファイルとして保存するメモリと、をさらに備えてもよい。
【００１３】
この画像読取装置によると、シングルモードで得られた画像データ、連続モードで得られた画像データ、原稿載置台上の原稿から得られた画像データ、及び原稿搬送装置により搬送された原稿の画像データが組み合わさった画像ファイルを得ることができる。つまり、原稿搬送できない特殊形状の原稿の画像と、原稿搬送した原稿の画像とを組み合わせて１つのファイルとすることができる。また、シングルモードを利用することで、自動搬送によって得られた複数の画像の間に、特殊原稿の画像が挟まれて含まれる画像ファイルを、容易に得ることができる。
【００１４】
請求項５に記載するように、請求項１〜４のいずれか１項に記載の画像読取装置は、読取部が読み取った画像を用紙上に印刷出力する印刷部を備える複写機に適用可能である。
【発明の効果】
【００１５】
シングルモードによって、各原稿の搬送前に、原稿の内容、向き、及び順序等が正しいか、ユーザに１枚ずつ確認させることができる。よってミスの発生を防いだり、ユーザにミスを早期に気付かせたりすることができる。
【発明を実施するための最良の形態】
【００１６】
本発明の実施の一形態について、図面を参照して以下に説明する。以下では、実施の一形態として複合機１を挙げるが、本発明は、印刷機能を持たない画像読取装置にも適用可能である。
【００１７】
＜１．複合機１の概要＞
図１及び図２を参照して、本実施形態の複合機１の概要について説明する。図１は複合機１の外観を示す斜視図であり、図２は複合機１の要部構成を示す正面図である。
【００１８】
図１及び図２に示すように、複合機１は、原稿Ｍを搬送する原稿搬送装置２と、本体部３とを備える。原稿搬送装置２は、原稿Ｍを後述の画像読取部４に対して移動させる装置であり、本体部３は、原稿Ｍ上の画像を読み取る画像読取部４、及び印刷部５等を備える。各部の詳細については後述する。
【００１９】
＜２．原稿搬送装置２＞
図１及び図２に示すように、原稿搬送装置２は、搬送ハウジング２０、搬送ハウジング２０の外側に設けられた原稿載置トレイ２１及び原稿排出トレイ２３、並びに、搬送ハウジング２０内に設けられた原稿搬送部２２及び第１原稿センサ２４等を備える。
【００２０】
搬送ハウジング２０は、本体部３の第１プラテンガラス３５及び第２プラテンガラス３６を覆うことのできる形状であり、本体ハウジング３０に対して、第１プラテンガラス３５及び第２プラテンガラス３６に対して開閉可能に固定される。開閉することで、搬送ハウジング２０は、第１プラテンガラス３５上に原稿を押し付ける原稿押さえとしても機能する。
【００２１】
また、搬送ハウジング２０の一部は、原稿載置トレイ２１に被さるように設けられているので、後述するように、原稿載置トレイ２１上に原稿Ｍを載置したままで搬送ハウジング２０を本体部３に対して開いても、原稿Ｍが原稿載置トレイ２１上に保持される。なお、このような原稿保持機能を実現するためには、搬送ハウジング２０を用いるだけでなく、原稿Ｍを原稿載置トレイ２１上に保持する原稿保持部材を別途設けてもよい。
【００２２】
図２に示すように、本形態の原稿搬送装置２の構成によると、原稿Ｍの２面のうち、原稿載置トレイ２１上で上側に向けられた面が、搬送中では第２プラテンガラス３６側にむけられるようになっている。つまり、原稿Ｍは、表面、すなわち画像が載せられている面を上にして、原稿載置トレイ２１上に載置される。
【００２３】
原稿排出トレイ２３は原稿搬送トレイ２１の下方に配置される。
【００２４】
第１原稿センサ２４は、原稿載置トレイ２１上の原稿Ｍを検知するセンサであり、光学センサ又は接触型センサ等、従来公知の検知手段を適用することができる。
【００２５】
図２に示すように、原稿搬送部２２は、複数のローラからなる原稿搬送ローラ群２２ａと、原稿押圧部２２ｂと、を備える。原稿搬送ローラ群２２ａは、回転することで、原稿載置トレイ２１上に載置された原稿Ｍを一枚ずつ引き出し、第２プラテンガラス３６上を経て原稿排出トレイ２３へと排出する。原稿押圧部２２ｂは、画像読取部４が第２プラテンガラス３６を介して原稿Ｍの一方の面（以下、表面と称する）から画像を読み取れるように、原稿搬送ローラ群２２ａによって搬送される原稿Ｍを第２プラテンガラス３６に押し付ける。
【００２６】
＜３．本体部３＞
（3-1）本体部３の概要
図１及び図２に示すように、本体部３は、略直方体の本体ハウジング３０を備え、本体ハウジング３０内に、原稿Ｍ上の画像を読み取って画像データを取得する画像読取部４、画像データに基づいて用紙上に画像を印刷する印刷部５、用紙を載置するための手差しトレイ３１、用紙を収容する用紙カセット３２、印刷後の用紙が排出される用紙排出トレイ３３、ユーザからの指示を受け付けたりユーザに種々の情報を提示したりする操作パネル３４等を備える。
【００２７】
（3-2）画像読取部４
図２に示すように、画像読取部４は、本体ハウジング３０内で第１プラテンガラス３５の近傍に配される。画像読取部４は、第１プラテンガラス３５と平行になるように配されたレール４１、レール４１上を矢印方向に移動可能なキャリッジ４２、キャリッジ４２を移動させるキャリッジ駆動部（図示せず）、及び第２原稿センサ４３等を備える。キャリッジ駆動部はモータ及びギア等を備える。レール４１に垂直かつ第１プラテンガラス３５に平行な方向を主走査方向、レール４１に平行な方向を副走査方向と呼ぶ。
【００２８】
キャリッジ４２内には、光源、ミラー群、集光レンズ、及びＣＣＤ（Charge Coupled Device）イメージセンサ等が設けられる（図示せず）。光源としては、ＬＥＤ、キセノンランプ等の各種ランプを用いることができる。光源は、第１プラテンガラス３５及び第２プラテンガラス３６を介して、原稿Ｍの表面に光を照射する。ミラー群は、複数のミラーを備え、各ミラーによって、原稿Ｍからの反射光を順次反射して、集光レンズに導く。反射光は、集光レンズによってＣＣＤに集められる。ＣＣＤは、受けた光を電気信号に変換する。なお、ＣＣＤはイメージセンサの一例に過ぎず、ＣＭＯＳイメージセンサ等の他のイメージセンサに置換可能である。
【００２９】
第１プラテンガラス３５上に載置された原稿の画像を読み取るときは、キャリッジ駆動部がキャリッジ４２を副走査方向に移動することで、原稿Ｍの全面を走査する。
【００３０】
また、原稿搬送装置２で搬送される原稿の表面の画像を読み取るときは、キャリッジ駆動部がキャリッジ４２を第２プラテンガラス３６に対向する位置に移動させる。この位置でキャリッジ４２が静止している間に、上述の原稿搬送部２２が原稿Ｍを第２プラテンガラス３６に対して移動させることによって、副走査方向における走査が行われる。
【００３１】
第２原稿センサ４３は、第１プラテンガラス３５に対向するように配置された光学センサである。第２原稿センサ４３は、第１プラテンガラス３５上の原稿を検知して、検知信号を後述の制御装置６に送信する。なお、上述のＣＣＤが第２原稿センサ４３を兼ねることも可能である。
【００３２】
（3-3）印刷部５
図２を参照して、印刷部５について説明する。
【００３３】
図２に示すように、印刷部５は、回転可能に設けられた円柱状の感光体ドラム１０を備えると共に、感光体ドラム１０の回転方向（図２中に矢印で示す）に沿って、感光体ドラム１０を一様に帯電させる帯電装置１１、帯電した感光体ドラム１０に光を照射することで感光体ドラム１０上に静電潜像を描く露光装置１２、静電潜像を現像剤で現像してトナー像を形成する現像装置１３、トナー像が用紙に転写された後に感光体ドラム１０を除電する除電装置１４、及び、転写後も感光体ドラム１０上に残るトナーを除去するクリーニング装置１５等を備える。なお、複合機１は、複数の印刷部５、特に複数の現像装置１３を備える構成であってもよい。また、本実施形態では、現像剤としてトナーとキャリアとを含む２成分現像剤を用いるが、これ以外にも、１成分及びその他の現像剤を適宜用いることができる。
【００３４】
印刷部５は、さらに、感光体ドラム１０上のトナー像を用紙へ転写する転写部５１、転写後の用紙に熱圧着によりトナー像を定着させる定着装置５２、並びに、手差しトレイ３１又は用紙カセット３２から転写部５１及び定着装置５２を経て用紙排出トレイ３３に至るまで、用紙を搬送する用紙搬送部５３を備える。なお、転写部５１は、感光体ドラム１０の回転方向において、現像装置１３より下流、かつ除電装置１４より上流に配置される。
【００３５】
（3-4）操作パネル３４
操作パネル３４の概要について図３を参照して説明する。図３は操作パネル３４の概要を示す平面図である。
【００３６】
図３に示すように、操作パネル３４は、タッチパネル３４ａ、並びに、テンキー、スタートキー、ストップキー、及びキャンセルキー等のハードキー群３４ｂ等を備える。タッチパネル３４ａは、液晶表示パネル及びタッチセンサによって構成される。
【００３７】
＜４．制御系＞
図４のブロック図を参照して、複合機１の制御系について説明する。
【００３８】
図４に示すように、複合機１は、制御装置６及び画像メモリ７をさらに備える。
【００３９】
制御装置６は、複合機１内の各部に接続され、その動作を制御することができる。制御装置６は、種々の機能部を備えるが、その一例として、シングルモード実行部６１、連続モード実行部６２、表示制御部６３、及びメモリ制御部６４等が挙げられる。
【００４０】
具体的には、制御装置６は、ＣＰＵ（Central Processing Unit）、並びに、ＲＡＭ（Random Access Memory）、及びＲＯＭ（Read Only Memory）等の記憶媒体を備える。ＣＰＵがＲＯＭ内に格納されたプログラムを読み出して実行することで、各機能部としての機能が実現される。ＲＡＭはＣＰＵの作業領域として機能することができる。
【００４１】
シングルモード実行部６１は、複合機１内の各部を制御して、シングルモード（下記（5-2）欄）を実行することができる。
【００４２】
連続モード実行部６２は、複合機１内の各部を制御して、連続モード（下記（5-3）欄）を実行することができる。
【００４３】
表示制御部６３は、タッチパネル３４ａの液晶表示パネルを制御して、種々の画面を表示させることができる。
【００４４】
メモリ制御部６４は、画像読取部４が得た画像データを、画像メモリ７に記憶させることができる。
【００４５】
画像メモリ７は、画像データを記憶可能な記憶装置である。
【００４６】
＜５．複写時の動作＞
これまでに述べた図面にさらに図５〜図８を併せて参照して、複写実行時の複合機１の動作を説明する。図５は複写実行時の複合機１の動作の流れを示すフローチャートであり、図６〜図８は、図５に示す動作中に表示される画面を示す図面である。
【００４７】
（5-1）モード選択
待機時には、表示制御部６３の制御の下、タッチパネル３４ａは待機画面Ｗ１を表示する。図６に示すように、待機画面Ｗ１は、コピーの条件（用紙サイズ、縮小／拡大、及びステープル等の後処理）を受け付けるコピー条件設定キー群Ｋ１１を含み、原稿をセットしてスタートキーを押下するように促すメッセージを表示する。
【００４８】
図５に示すように、スタートキーが押下されると（ステップＳ１０１でＹｅｓ）、表示制御部６３の制御の下、タッチパネル３４ａは、モード選択画面Ｗ２を表示する（ステップＳ１０２でＹｅｓ）。
【００４９】
図７に示すように、モード選択画面Ｗ２は、シングルモード選択キーＫ２１及び連続モード選択キーＫ２２を含む。シングルモード選択キーＫ２１が押下されると（ステップＳ１０３でＹｅｓ）、制御装置６は、シングルモード実行部６１によって、原稿載置トレイ２１上の原稿を１枚ずつ読み取るシングルモードを実行する。一方、連続モード選択キーＫ２２が押下されると（ステップＳ１０３でＮｏ）、制御装置６は連続モード実行部６２によって、原稿載置トレイ２１上の全ての原稿について画像を読み取る連続モードを実行する。
【００５０】
（5-2）シングルモード
シングルモードでは、第２原稿センサ４３の検知結果が第１プラテンガラス３５上に原稿Ｍが載置されていることを示していれば（ステップＳ１０４でＹｅｓ）、画像読取部４が、第１プラテンガラス３５上に載置された原稿（静止原稿）から画像を読み取る（ステップＳ１０５）。このとき、原稿搬送装置２は静止状態となっている。
【００５１】
一方、第１プラテンガラス３５上に原稿Ｍがなく（ステップＳ１０４でＮｏ）、第１原稿センサ２４の検知結果が原稿載置トレイ２１上に原稿Ｍが載置されていることを示していれば、原稿搬送装置２が原稿Ｍを１枚搬送し、画像読取部４がこの原稿Ｍの画像を読み取る（ステップＳ１０６）。
【００５２】
ステップＳ１０５又はＳ１０６にて画像読取が終了すると、画像は画像メモリ７に保存され、タッチパネル３４ａは副待機画面Ｗ３を表示する。
【００５３】
図８に示すように、副待機画面Ｗ３は、待機画面Ｗ１と同じくコピー条件設定キーＫ１１を含むと共に、読取終了キーＫ３１を含む。そして、副待機画面Ｗ３は、次の原稿をセットしてスタートキーを押下するようにユーザに促すメッセージと共に、原稿の読取を終える場合は読取終了キーを押下するように促すメッセージを併せて表示する。
【００５４】
読取終了キーＫ３１が押下されると（ステップＳ１０７でＹｅｓ）、画像メモリ７中の画像に基づいて印刷部５が印刷を実行する（ステップＳ１０８）。
【００５５】
一方、読取終了キーＫ３１が押下されることなく（ステップＳ１０７でＮｏ→Ａ）、スタートキーが押下されると（ステップＳ１０１でＹｅｓ）、再びモード選択画面Ｗ２の表示から同様の動作が行われる（ステップＳ１０２）。
【００５６】
なお、シングルモード中、原稿搬送の最中でなければ（つまり、原稿搬送開始前又は原稿搬送終了後であれば）、搬送ハウジング２０が開状態になったことを開閉センサ３７が検知しても、一連の動作は停止しない。
【００５７】
（5-3）連続モード
連続モードでも、第１プラテンガラス３５上に原稿Ｍが載置されていれば（ステップＳ１０９でＹｅｓ→Ｂ）、上述のステップＳ１０５以後の動作が実行され、静止原稿の画像読取等が行われる。
【００５８】
また、第１プラテンガラス３５上に原稿Ｍが載置されておらず（ステップＳ１０９でＮｏ）、原稿載置トレイ２１上に原稿Ｍが載置されていれば、原稿搬送装置２が原稿載置トレイ２１上の原稿Ｍを原稿排出トレイ２３まで連続して搬送し、画像読取部４が搬送された原稿Ｍの画像を連続して読み取る（ステップＳ１１０）。画像読取で得られた画像データは、画像メモリ７内に記憶される。
【００５９】
この連続読取を原稿載置トレイ２１上の原稿Ｍがなくなるまで行い（ステップＳ１１１でＹｅｓ→ステップＳ１１０）、全ての原稿Ｍについて読取が終了すると、上述のステップＳ１０７以後の動作を行う（ステップＳ１１１でＮｏ→Ｃ→Ｓ１０７）。
【００６０】
なお、ステップＳ１１０で原稿を連続して搬送中に、搬送ハウジング２０が本体ハウジング３０に対して開状態になったことを、開閉センサ３７が検知すると、例え１の原稿Ｍの搬送終了から次の原稿Ｍの搬送開始前であっても、制御装置６の制御により、原稿搬送装置２の動作は中断される。
【００６１】
また、スタートキーが最初に押下されて画像読取を開始してから、読取終了キーＫ３１が押下されるまでの間に、シングルモード又は連続モードによる画像読取を２回以上行ったり、又はシングルモードと連続モードとを組み合わせて行ったりした場合、メモリ制御部６４は、これらの画像読取で得られた全ての画像データを、１つのファイルとして画像メモリ７に記憶させることができる。
【００６２】
（5-4）具体例
例えば、ユーザが、２０枚の通常原稿（定形サイズ、かつ綴じられていない状態の原稿）と、冊子内に綴じられた状態で含まれる１枚の原稿とを複写して、１束の印刷物を作ることを希望しているとする。ユーザは、２０枚の原稿の２枚目と３枚目との間に、冊子内の原稿を挿入したいと考えている。複合機１が以上のように構成されていることで、ユーザは以下のような操作によって、目的の印刷物を得ることができる。
【００６３】
ユーザは、通常原稿を全て原稿載置トレイ２１上に載置し、第１プラテンガラス３５には冊子を載置せずに、スタートキーを押下する。この操作に応じてタッチパネル３４ａはモード選択画面Ｗ２を表示するので（ステップＳ１０１でＹｅｓ→Ｓ１０２）、ユーザは、モード選択画面Ｗ２にて、シングルモード選択キーＫ２１を押下すればよい。
【００６４】
複合機１は、原稿搬送装置２及び画像読取部４にて通常原稿の１枚目の画像を読み取り（ステップＳ１０３でＹｅｓ→Ｓ１０４でＮｏ→Ｓ１０６）、タッチパネル３４ａにて副待機画面Ｗ３を表示するので、ユーザは、再びスタートキー、シングルモード選択キーＫ２１を順に押下すればよい。
【００６５】
複合機１は、原稿搬送装置２及び画像読取部４にて通常原稿の２枚目の画像を読み取り、タッチパネル３４ａにて副待機画面Ｗ３を表示する（ステップＳ１０７でＮｏ→Ｓ１０１でＹｅｓ→Ｓ１０３でＹｅｓ→Ｓ１０４でＮｏ→Ｓ１０６）。
【００６６】
ユーザは、搬送ハウジング２０を本体ハウジング３０の上方に対して開き、目的の頁を下にした冊子を第１プラテンガラス３５上に載置し、搬送ハウジング２０を閉じて、再びスタートキーを押下すればよい。タッチパネル３４ａにはモード選択画面Ｗ２が表示されるので、ユーザはキーＫ２１・Ｋ２２のどちらかを押下すればよい。
【００６７】
キーＫ２１・Ｋ２２のどちらが押下されても、複合機１は第１プラテンガラス３５上の原稿を優先して読み、また副待機画面Ｗ３を表示する（ステップＳ１０７でＮｏ→Ｓ１０１でＹｅｓ→Ｓ１０３→Ｓ１０４又はＳ１０９でＹｅｓ→Ｓ１０５）。
【００６８】
ユーザは、冊子を第１プラテンガラス３５上から除けて、スタートキーを押下すればよい。この操作を受けて、複合機１はまたモード選択画面Ｗ２を表示するので（ステップＳ１０７でＮｏ→Ｓ１０１でＹｅｓ→Ｓ１０２）、ユーザは、連続モード選択キーＫ２２を押下すればよい。この操作を受けて、複合機１は原稿載置トレイ２１上の残りの通常原稿を読み取る（ステップＳ１０３でＮｏ→Ｓ１０９でＮｏ→Ｓ１１０→Ｓ１１１でＮｏ）。
【００６９】
読み取りが終了すると、タッチパネル３４ａが副待機画面Ｗ３を表示するので（Ｓ１０７）、ユーザは読取終了キーＫ３１を押下すればよい。
【００７０】
メモリ制御部６４は、１枚目の通常原稿の画像を読み取ってから読取終了キーＫ３１が押下されるまでに得られた原稿２１枚分の画像データを、１つの画像ファイルとして画像メモリ７に記憶させる。
【００７１】
印刷部５は、この画像ファイルのデータに基づいて、全ての原稿の画像を用紙上に印刷する（Ｓ１０８）。
【００７２】
＜６．効果＞
（ａ）このように、複合機１は、シングルモードを実行することで、原稿を１枚ずつ搬送して、１枚ずつ読取を行うことができる。よって、複合機１は、第１プラテンガラス３５上に原稿を１枚ずつセットするという作業をユーザに行わせることなく、かつ、各原稿Ｍの搬送前に、原稿載置トレイ２１上で、その原稿の内容、向き、及び順序等が正しいか、ユーザに確認させることができる。よって、複合機１によれば、ユーザに過大な負担を強いることなく、読取ミスやコピーミス等を効果的に防ぐことができる。また、仮にミスが生じても、原稿を１枚ずつ確認しているので、ユーザはミスに気付きやすい。
【００７３】
（ｂ）  原稿によっては、その形又は厚さ等から原稿搬送装置によって搬送できないものもある。このように搬送できない特殊原稿の画像が大量の通常原稿（自動搬送可能な原稿）の画像の間に挿入された印刷物を得たい場合、従来の印刷装置では、ユーザは予め原稿を仕分けするか、印刷物を仕分けしなければならなかった。
【００７４】
つまり、ユーザは、所望の頁構成を有する複写物の束を得るには、特殊原稿を挟む位置で通常原稿を仕分けし、仕分けした通常原稿の束の１つを原稿搬送装置にセットして、自動搬送による複写を印刷装置に実行させ、次に特殊原稿をプラテンガラス上に載置して複写を実行させる、という操作を繰り返さなければならない。また、印刷物を仕分けする場合は、ユーザは、通常原稿を全て原稿搬送装置にセットして、自動搬送による複写を実行させることができるが、特殊原稿をプラテンガラス上に載置して複写を実行させると共に、こうして得られた複写物の順序を、自分で入れ替えなければならない。
【００７５】
このような原稿の仕分けや複写物の入れ替えは、ユーザにとっては煩わしい作業である。
【００７６】
これに対して、複合機１は、シングルモードでは、自動搬送による原稿の読取の間に、静止原稿の通常原稿を読み取ることができる。このとき、ユーザは、自動搬送可能な原稿を全て原稿搬送装置２にセットすることができ、複数回に分けてセットする必要はない。よって、複合機１は、予め原稿を仕分ける、又は印刷物を仕分けたる等の作業をユーザにさせることなく、特殊原稿の画像が通常原稿の画像間に挿入された複写物を、ユーザに提供することができる。複合機１は、複写機でなくスキャナとして機能する場合にも、ステップＳ１０８を除いた同様の動作にて、ユーザの希望する画像データを提供することができる。
【図面の簡単な説明】
【００７７】
【図１】本発明の実施の一形態に係る複合機１の外観を示す斜視図である。
【図２】複合機１の内部の要部構成を示す正面図である。
【図３】複合機１の操作パネルの概要を示す平面図である。
【図４】複合機１の要部構成を示すブロック図である。
【図５】複写実行時の複合機１の動作の流れを示すフローチャートである。
【図６】待機画面Ｗ１を示す図面である。
【図７】モード選択画面Ｗ２を示す図面である。
【図８】副待機画面Ｗ３を示す図面である。
【符号の説明】
【００７８】
１      複合機１
２      原稿搬送装置
２４    第１原稿センサ
３      本体
３４    操作パネル（開始受付部、選択受付部、終了受付部）
３５    第１プラテンガラス（原稿載置台）
３６    第２プラテンガラス
３７    開閉センサ
４      画像読取部（読取部）
４３    第２原稿センサ（原稿センサ）
５      印刷部
６      制御装置
７      画像メモリ
【図１】
2009232354.tif 000003
【図２】
2009232354.tif 000004
【図３】
2009232354.tif 000005
【図４】
2009232354.tif 000006
【図５】
2009232354.tif 000007
【図６】
2009232354.tif 000008
【図７】
2009232354.tif 000009
【図８】
2009232354.tif 000010